(57)【要約】【課題】寄付の促進を図ることができる寄付支援システム及び寄付支援方法を提供する。【解決手段】  寄付支援装置１は、画像を分類するためのハッシュタグ等のタグ情報と寄付提供者により提供される寄付とを対応付け、そのタグ情報が付されてインターネット１００上に投稿された画像を、当該タグ情報に基づいて収集する。そして、寄付支援装置１は、その収集された画像の中から寄付と関連付ける画像を特定し、その特定した画像をインターネット１００に公開する。【選択図】図１
2017215725.tif 000002
【特許請求の範囲】
【請求項１】
寄付を提供する寄付提供者と、インターネット上に画像を投稿する画像投稿者とを連携させることにより当該寄付の実施を支援する寄付支援システムであって、
画像を分類するためのタグ情報と前記寄付提供者により提供される寄付とを対応付ける寄付設定手段と、
前記画像投稿者によって、前記寄付設定手段により前記提供される寄付と対応付けられたタグ情報が付されてインターネット上に投稿された画像を、当該タグ情報に基づいて収集する画像収集手段と、
前記画像収集手段によって収集された画像の中から前記提供される寄付と関連付ける画像を特定する画像特定手段と、
前記画像特定手段によって特定された画像を公開する画像公開手段と
を備える、寄付支援システム。
【請求項２】
前記画像公開手段が、前記特定された画像と前記寄付提供者を特定する寄付提供者特定情報とを関連付けて公開するように構成されている、
請求項１に記載の寄付支援システム。
【請求項３】
前記画像公開手段が、前記特定された画像と当該画像を投稿した画像投稿者を特定する画像投稿者特定情報とを関連付けて公開するように構成されている、
請求項１又は２に記載の寄付支援システム。
【請求項４】
前記タグ情報は、ハッシュタグである、
請求項１乃至３の何れかに記載の寄付支援システム。
【請求項５】
前記タグ情報は、画像が投稿された地域を示す情報である、
請求項１乃至３の何れかに記載の寄付支援システム。
【請求項６】
寄付を提供する寄付提供者と、インターネット上に画像を投稿する画像投稿者とを連携させることにより当該寄付の実施を支援する寄付支援方法であって、
画像を分類するためのタグ情報と前記寄付提供者により提供される寄付とを対応付けるステップと、
前記画像投稿者によって、前記提供される寄付と対応付けられたタグ情報が付されてインターネット上に投稿された画像を、当該タグ情報に基づいて収集するステップと、
収集された画像の中から前記提供される寄付と関連付ける画像を特定するステップと、
特定された画像を公開するステップと
を有する、寄付支援方法。
【発明の詳細な説明】
【技術分野】
【０００１】
本発明は、寄付提供者による寄付の実施を支援する寄付支援システム及び寄付支援方法に関する。
【背景技術】
【０００２】
インターネットの普及に伴い、良質なコンテンツをインターネット上に提供するコンテンツ制作者に対して寄付を行うことを可能にするコンピュータシステムが提案されている。例えば、特許文献１には、コンテンツ提供装置からインターネットを介して供給されたコンテンツの画像データを受信し、当該画像データに基づいて所定の寄付ボタンが設けられたコンテンツ表示画面を表示し、当該コンテンツ表示画面の中から寄付ボタンが選択されたとき、当該寄付ボタンに対応した所定金額の寄付データを生成し、当該寄付データをネットワークを介してコンテンツ提供装置に送信する寄付処理装置が開示されている。この寄付処理装置によれば、コンテンツ制作者に対して寄付行為を容易に行うことができる。
【先行技術文献】
【特許文献】
【０００３】
【特許文献１】特開２００１−３４４５３０号公報
【発明の概要】
【発明が解決しようとする課題】
【０００４】
しかしながら、上述した従来の寄付処理装置により実施される寄付は、コンテンツ制作者が寄付受領者となる場合に限定されるため、適用される範囲が限定されてしまうという問題がある。
【０００５】
本発明は斯かる事情に鑑みてなされたものであり、その主たる目的は、コンテンツ制作者と寄付受領者とが異なる場合にも適用可能な寄付支援システム及び寄付支援方法を提供することにある。
【課題を解決するための手段】
【０００６】
本発明者は、ソーシャル・ネットワーキング・サービス（ＳＮＳ）等のインターネット上の各種サービスにおいて膨大な画像が投稿されている点に着目し、これらの画像と寄付とを結び付けることにより、コンテンツ制作者と寄付受領者とが一致しない寄付を実現することができると考え、下記の発明をした。すなわち、本発明の寄付支援システムは、寄付を提供する寄付提供者と、インターネット上に画像を投稿する画像投稿者とを連携させることにより当該寄付の実施を支援する寄付支援システムであって、画像を分類するためのタグ情報と前記寄付提供者により提供される寄付とを対応付ける寄付設定手段と、前記画像投稿者によって、前記寄付設定手段により前記提供される寄付と対応付けられたタグ情報が付されてインターネット上に投稿された画像を、当該タグ情報に基づいて収集する画像収集手段と、前記画像収集手段によって収集された画像の中から前記提供される寄付と関連付ける画像を特定する画像特定手段と、前記画像特定手段によって特定された画像を公開する画像公開手段とを備える。
【０００７】
前記態様において、前記画像公開手段が、前記特定された画像と前記寄付提供者を特定する寄付提供者特定情報とを関連付けて公開するように構成されていてもよい。
【０００８】
また、前記態様において、前記画像公開手段が、前記特定された画像と当該画像を投稿した画像投稿者を特定する画像投稿者特定情報とを関連付けて公開するように構成されていてもよい。
【０００９】
また、前記態様において、前記タグ情報は、ハッシュタグであってもよく、画像が投稿された地域を示す情報であってもよい。
【００１０】
また、本発明の一の態様の寄付支援方法は、寄付を提供する寄付提供者と、インターネット上に画像を投稿する画像投稿者とを連携させることにより当該寄付の実施を支援する寄付支援方法であって、画像を分類するためのタグ情報と前記寄付提供者により提供される寄付とを対応付けるステップと、前記画像投稿者によって、前記提供される寄付と対応付けられたタグ情報が付されてインターネット上に投稿された画像を、当該タグ情報に基づいて収集するステップと、収集された画像の中から前記提供される寄付と関連付ける画像を特定するステップと、特定された画像を公開するステップとを有する。
【発明の効果】
【００１１】
本発明に係る寄付支援システム及び寄付支援方法によれば、コンテンツ制作者と寄付受領者とが異なる場合の寄付を実現することができる。
【図面の簡単な説明】
【００１２】
【図１】本発明の実施の形態に係る寄付支援システムの構成を示すブロック図。
【図２】本発明の実施の形態に係る寄付支援装置の構成を示すブロック図。
【図３】本発明の実施の形態に係る寄付支援装置に設けられている寄付提供者データベースのレイアウトの一例を示す図。
【図４】本発明の実施の形態に係る寄付支援装置に設けられている寄付受領者データベースのレイアウトの一例を示す図。
【図５】本発明の実施の形態に係る寄付支援装置に設けられている画像投稿者データベースのレイアウトの一例を示す図。
【図６】本発明の実施の形態に係る寄付支援装置に設けられている寄付確定データベースのレイアウトの一例を示す図。
【図７】本発明の実施の形態に係る寄付支援装置及び寄付提供者装置によって実行される寄付設定処理の手順を示すフローチャート
【図８】設定画面の表示例を示す図。
【図９】本発明の実施の形態に係る寄付支援装置及び寄付提供者装置によって実行される画像特定処理の手順を示すフローチャート
【図１０】閲覧画面の表示例を示す図。
【図１１】公開画面の表示例を示す図。
【発明を実施するための形態】
【００１３】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１４】
［寄付支援システムの構成］
図１は、本実施の形態の寄付支援システムの構成を示すブロック図である。本実施の形態の寄付支援システムは、寄付支援装置１により構成されている。図１に示すとおり、寄付支援装置１は、インターネット１００と通信可能に接続されている。この寄付支援装置１の他にも、インターネット１００には、画像の投稿を行う複数の画像投稿者のそれぞれにて用いられる画像投稿者装置２，２，…、寄付を提供する複数の寄付提供者のそれぞれにて用いられる寄付提供者装置３，３，…、及び寄付を受領する複数の寄付受領者のそれぞれにて用いられる寄付受領者装置４，４，…が通信可能に接続されている。寄付支援装置１と、これらの画像投稿者装置２，２，…、寄付提供者装置３，３，…、及び寄付受領者装置４，４，…とは、インターネット１００を介してデータ通信を行うことができる。なお、画像投稿者装置２，２，…、寄付提供者装置３，３，…、及び寄付受領者装置４，４，…としては、パーソナルコンピュータ、タブレット型端末、及びスマートフォン等の通信機能を有する各種の情報端末を用いることができる。
【００１５】
本寄付支援システムの場合、寄付提供者及び寄付受領者として様々な団体及び個人が想定される。寄付提供者としては、例えば、様々な寄付団体、ＣＳＲ活動に注力している企業等が挙げられる。また、寄付受領者としては、例えば、寄付を必要とする養護施設などの各種団体、被災者等が挙げられる。
【００１６】
［寄付支援装置の構成］
図２は、本実施の形態の寄付支援装置１の構成を示すブロック図である。図２に示すとおり、コンピュータ（寄付支援装置）１は、ＣＰＵ１０、ＲＯＭ１１、ＲＡＭ１２、ハードディスク１３、通信インタフェース（Ｉ／Ｆ）１４、ディスプレイ１５、及び入力部１６を備えており、これらの各要素はバス１７によって接続されている。
【００１７】
ＣＰＵ１０は、ＲＡＭ１２にロードされた各種のコンピュータプログラムを実行する。これにより、コンピュータ１が本実施の形態の寄付支援装置として機能することになる。
【００１８】
ＲＯＭ１１は、マスクＲＯＭ、ＰＲＯＭ（Programmable ROM）、ＥＰＲＯＭ（Erasable PROM）、又はＥＥＰＲＯＭ（Electrically Erasable PROM）等によって構成されており、ＣＰＵ１０にて実行されるコンピュータプログラム及びその実行の際に用いられるデータ等が記憶されている。
【００１９】
ＲＡＭ１２は、ＳＲＡＭ又はＤＲＡＭなどによって構成されている。このＲＡＭ１２は、ハードディスク１３に記憶されている各種のコンピュータプログラムの読み出し等に用いられる。また、ＣＰＵ１０が各種のコンピュータプログラムを実行するときに、ＣＰＵ１０の作業領域としても利用される。
【００２０】
ハードディスク１３には、オペレーティングシステム及びアプリケーションプログラムなど、ＣＰＵ１０に実行させるための各種のコンピュータプログラム及び当該コンピュータプログラムの実行に用いられるデータ等が予めインストールされている。また、このハードディスク１３には、寄付提供者に関する情報である寄付提供者情報が格納される寄付提供者データベース（ＤＢ）１３Ａ、寄付受領者に関する情報である寄付受領者情報が格納される寄付受領者データベース（ＤＢ）１３Ｂ、画像投稿者に関する情報である画像投稿者情報が格納される画像投稿者データベース（ＤＢ）１３Ｃ、ハッシュタグ等のタグ情報が格納されるタグデータベース（ＤＢ）１３Ｄ、インターネット１００から収集された画像が格納される画像データベース（ＤＢ）１３Ｅ、及び確定した寄付の内容を示す寄付確定情報が格納される寄付確定データベース（ＤＢ）１３Ｆが設けられている。これらの各データベースの詳細については後述する。
【００２１】
さらに、ハードディスク１３には、例えば米マイクロソフト社が製造販売するWindows（登録商標）などのマルチタスクオペレーティングシステムがインストールされている。以下の説明においては、各種のコンピュータプログラムが当該オペレーティングシステム上で動作するものとしている。
【００２２】
通信Ｉ／Ｆ１４は、インターネット１００等の各通信ネットワークを介して寄付支援装置１が外部の装置と通信するためのインタフェース装置である。寄付支援装置１は、この通信Ｉ／Ｆ１４を介して、画像投稿者装置２，２，…、寄付提供者装置３，３，…、及び寄付受領者装置４，４，…との間で各種のデータの送受信を行う。
【００２３】
ディスプレイ１５は、ＬＣＤ等で構成される出力装置であり、ＣＰＵ１０から与えられた画像データに応じた映像信号にしたがって画像（画面）を表示する。また、入力部１６は、キーボード及びマウス等で構成された入力装置である。ユーザが入力部１６を使用することによって、寄付支援装置１に対する入力を行うことができる。
【００２４】
以下、ハードディスク１３に設けられている各データベースの詳細について説明する。
（Ａ）寄付提供者ＤＢ１３Ａ
図３は、寄付提供者ＤＢ１３Ａのレイアウトの一例を示す図である。図３に示すとおり、寄付提供者ＤＢ１３Ａは、寄付提供者を識別する寄付提供者ＩＤが格納される寄付提供者ＩＤフィールド１０１、寄付提供者の名称（団体名又は個人名等）が格納される名称フィールド１０２、電子メールアドレス等の寄付提供者の連絡先が格納される連絡先フィールド１０３、寄付提供者が寄付として用意している予算の総額が格納される予算フィールド１０４、寄付提供者が希望するタグ情報である希望タグが格納される希望タグフィールド１０５、寄付提供者が希望する投稿者の属性が格納される投稿者属性フィールド１０６、及び予算の割当額が格納される割当額フィールド１０７を少なくとも有している。上記のタグ情報の詳細については後述する。投稿者属性フィールド１０６に格納される属性には、投稿者の年齢、性別、及び職業等の各種の属性が含まれる。希望タグフィールド１０５及び投稿者属性フィールド１０６には、後述する寄付設定処理によって得られた希望タグ及び投稿者の属性がそれぞれ格納される。また、名称フィールド１０２、連絡先フィールド１０３及び予算フィールド１０４には、寄付支援システムの運営者によって運営されているウェブサイト（以下「登録サイト」という）等を介して寄付提供者装置３から予め取得された各情報が格納される。
【００２５】
（Ｂ）寄付受領者ＤＢ１３Ｂ
図４は、寄付受領者ＤＢ１３Ｂのレイアウトの一例を示す図である。図４に示すとおり、寄付受領者ＤＢ１３Ｂは、寄付受領者を識別する寄付受領者ＩＤが格納される寄付受領者ＩＤフィールド２０１、寄付受領者の名称（団体名又は個人名等）が格納される名称フィールド２０２、及び電子メールアドレス等の寄付受領者の連絡先が格納される連絡先フィールド２０３を少なくとも有している。これらのうち、名称フィールド２０２及び連絡先フィールド２０３には、上記の登録サイト等を介して寄付受領者装置４から予め取得された各情報が格納される。なお、寄付支援システムを介して実施される寄付を受領する寄付受領者は、このように予め登録された者には限定されず、登録していない者も当該寄付受領者になり得る。
【００２６】
（Ｃ）画像投稿者ＤＢ１３Ｃ
図５は、画像投稿者ＤＢ１３Ｃのレイアウトの一例を示す図である。図５に示すとおり、画像投稿者ＤＢ１３Ｃは、画像投稿者を識別する画像投稿者ＩＤが格納される画像投稿者ＩＤフィールド３０１、画像投稿者の氏名が格納されるが氏名フィールド３０２、電子メールアドレス等の画像投稿者の連絡先が格納される連絡先フィールド３０３、及び画像投稿者の属性が格納される属性フィールド３０４を少なくとも有している。これらのうち、氏名フィールド３０２、連絡先フィールド３０３及び属性フィールド３０４には、上記の登録サイト等を介して画像投稿者装置２から予め取得された各情報が格納される。なお、寄付支援システムによって寄付と関連付けられる画像の画像投稿者は、このように予め登録された者には限定されず、登録していない者も当該画像投稿者になり得る。
【００２７】
（Ｄ）タグＤＢ１３Ｄ
タグＤＢ１３Ｄに格納されるタグ情報には、各種のＳＮＳ等で用いられるハッシュタグ、画像が投稿された地域を示す情報等が含まれる。寄付支援システムの運営者又は寄付提供者によって設定されたり、インターネット１００から収集されたり等、様々な態様で得られたタグ情報がタグＤＢ１３Ｄに格納されている。
【００２８】
（Ｅ）画像ＤＢ１３Ｅ
画像ＤＢ１３Ｅには、後述するようにしてインターネット１００を介して収集された投稿画像が格納される。なお、この画像には、静止画像及び動画像が含まれる。
【００２９】
（Ｅ）寄付確定ＤＢ１３Ｆ
図６は、寄付確定ＤＢ１３Ｆのレイアウトの一例を示す図である。図６に示すとおり、寄付確定ＤＢ１３Ｆは、寄付を提供する寄付提供者の寄付提供者ＩＤが格納される寄付提供者ＩＤフィールド４０１、その寄付を受領する寄付受領者の寄付受領者ＩＤが格納される寄付受領者ＩＤフィールド４０２、その寄付に係る画像を識別するための画像ＩＤが格納される画像ＩＤフィールド４０３、その寄付に係るタグ情報が格納されるタグフィールド４０４、及びその寄付の内容（寄付金の額、寄付される物品の名称等）が格納される寄付内容フィールド４０５を少なくとも有している。この寄付確定情報は、後述する画像特定処理によって生成され、寄付確定ＤＢ１３Ｆに登録される。
【００３０】
［寄付支援システムの動作］
次に、上述したように構成された本実施の形態の寄付支援システムの動作について、フローチャート等を参照しながら説明する。なお、以下では、（１）タグ情報を用いて寄付の設定を行う寄付設定処理、（２）寄付に係る画像を収集する画像収集処理、（３）寄付に係る画像を特定する画像特定処理、及び（４）実施された寄付の概要を公開する寄付公開処理の各処理に分けて説明する。
【００３１】
（１）寄付設定処理
寄付提供者は、自らが希望するタグ情報と寄付とを結び付けるために、寄付の設定を行う。このとき、下記の寄付設定処理が実行される。
図７は、寄付支援装置１及び寄付提供者装置３によって実行される寄付設定処理の手順を示すフローチャートである。図７に示すとおり、寄付提供者装置３はまず、寄付提供者による指示にしたがって、寄付の設定を開始するための寄付設定要求を寄付支援装置１に対して送信する（Ｓ１０１）。
【００３２】
寄付支援装置１は、寄付提供者装置３から送信された寄付設定要求を受信した場合（Ｓ２０１）、寄付の設定を行うための設定画面情報を寄付提供者装置３に対して送信する（Ｓ２０２）。
【００３３】
寄付提供者装置３は、寄付支援装置１から送信された設定画面情報を受信した場合（Ｓ１０２）、その設定画面情報に基づいて得られる設定画面をディスプレイ上に表示する（Ｓ１０３）。図８は、その設定画面の表示例を示す図である。図８に示すように、設定画面１００１には、寄付提供者が希望するタグ情報を入力するための希望タグ入力欄１００２、同じく画像投稿者の属性を入力するための投稿者属性入力欄１００３、予算を入力するための予算入力欄１００４、及び各入力欄に入力された情報を寄付支援装置１に対して送信するための送信ボタン１００５が設けられている。
【００３４】
寄付提供者は、自らが提供する寄付と関連付けるのに適当と思われる１又は複数のタグ情報を希望タグ入力欄１００２に入力する。例えば、寄付提供者が子育て支援を目的として寄付を提供する場合、「＃子育て」「＃育児」等のハッシュタグが入力される。また、寄付提供者が自らの製品の宣伝を目的として寄付を提供する場合、その製品名又はブランド名等がハッシュタグとして入力される。その他にも、寄付提供者が特定の地域で投稿された画像と関連付けて寄付を提供することを希望する場合であれば、その地域を示すタグ情報等が入力される。このタグ情報の入力は、寄付提供者が任意の文字列を入力することによって行われてもよく、タグＤＢ１３Ｄに登録されている１又は複数のタグ情報を表示する欄を別途設け、寄付提供者がその欄から特定のタグ情報を選択することによって行われてもよい。
【００３５】
また、寄付提供者は、自らが提供する寄付と関連付けるのに適当と思われる投稿者の１又は複数の属性を投稿者属性入力欄１００３に入力する。例えば、寄付提供者が女性の社会進出の支援を目的として寄付を提供する場合、「女性」「２０代〜３０代」等の属性が入力される。また、寄付提供者が自らの製品の宣伝を目的として寄付を提供する場合、その製品の主な購買層の属性が入力される。この投稿者属性の入力も、タグ情報の場合と同様、予め用意された１又は複数の属性を表示する欄を設け、寄付提供者がその欄から特定の属性を選択することによって行われてもよい。
【００３６】
上記のタグ情報及び投稿者属性は、少なくとも何れか一方が入力されればよい。但し、投稿者属性のみが入力される場合、収集される画像は登録サイト等を介して予め登録された画像投稿者によって撮影されたものに限定されることになるため、より広い範囲で画像を収集することを望む場合はタグ情報を入力しておくことが好ましい。
【００３７】
さらに、寄付提供者は、入力したタグ情報及び／又は投稿者属性によって関連付けられる画像に係る寄付に対する予算の割当額を予算入力欄１００４に入力する。寄付提供者は、用意している予算の総額を入力してもよく、そのうちの一部の額を入力してもよい。一部の額が入力される場合、残りの額については別のタグ情報及び／又は投稿者属性を設定することができる。これらを同時に入力できるように、寄付設定画面１００１に各入力欄１００２乃至１００４が複数設けられていてもよい。この割当額は、寄付支援装置１が所定のルールにしたがって自動的に算出することにより得ても構わない。
【００３８】
寄付提供者装置３は、上記のようにして各入力欄１００２乃至１００４に対して行われた入力を受け付ける（Ｓ１０４）。その後、寄付提供者によって送信ボタン１００５がクリックされた場合、寄付提供者装置３は入力を受け付けた各情報を含む設定情報を寄付支援装置１に対して送信する（Ｓ１０５）。
【００３９】
寄付支援装置１は、寄付提供者装置３から送信された設定情報を受信した場合（Ｓ２０３）、その設定情報に含まれる各情報を用いて寄付提供者ＤＢ１３Ａを更新する（Ｓ２０４）。具体的には、設定情報に含まれるタグ情報、投稿者属性、及び予算の割当額を、希望タグフィールド１０５、投稿者属性フィールド１０６、及び割当額フィールド１０７にそれぞれ格納する。これにより、寄付設定処理が終了する。
【００４０】
なお、本実施の形態では上述したように寄付設定処理によってタグ情報、投稿者属性、及び予算が設定されているが、それ以外の処理によってこれらが設定されても構わない。例えば、タグ情報、投稿者属性、及び予算のうちの少なくとも１つが、上記の登録サイト等を介して設定されてもよい。
【００４１】
上述したようにして設定されたタグ情報は広く一般に公開される。具体的には、寄付支援システムの運営者が運営するウェブサイトに当該タグ情報を掲載したり、各種媒体に当該タグ情報を提供したりすることによって公開される。また、ＳＮＳのシェア等によって当該タグ情報が拡散される。これにより、画像投稿者は寄付に係るタグ情報の存在を知ることができる。このとき、タグ情報のみではなく、そのタグ情報がどのような寄付と対応付けられているのかを示す関連情報（寄付の目的及び寄付提供者の名称等）も合わせて公開されることが好ましい。この関連情報を参照した画像投稿者は、寄付の目的等に賛同した場合に、画像投稿者装置２を用いて、画像を撮影し、当該タグ情報を付した上でインターネット１００上のＳＮＳ等の各種サービスに投稿する。このようにして投稿された画像は、後述する画像収集処理によって収集される。なお、上記のようにして公開されたタグ情報の存在を知らずに、画像投稿者が偶然当該タグ情報を付した画像を投稿することもあり得る。また、当該タグ情報が付された画像が既にインターネット１００上に存在する場合もある。そのような投稿画像も後述する画像収集処理によって収集されることになる。
【００４２】
画像投稿者が上記の登録サイト等を介して予め登録を済ませている者である場合、すなわち画像投稿者ＤＢ１３Ｃに画像投稿者情報が格納されている画像投稿者である場合、寄付支援システムの運営者によって運営されている画像投稿用サイト等に画像が投稿されることもある。この場合、投稿された画像は画像投稿者ＩＤが紐付けられて寄付支援装置１の画像ＤＢ１３Ｅに格納される。
【００４３】
（２）画像収集処理
寄付支援装置１は、上述したようにして設定されたタグ情報及び投稿者属性を用いて、寄付と関連付けられる画像を収集する画像収集処理を実行する。以下、この画像収集処理の詳細について説明する。
【００４４】
寄付支援装置１は、寄付提供者ＤＢ１３Ａに格納されているハッシュタグに基づいて、当該ハッシュタグが付されている画像をインターネット１００から収集する。例えば、寄付提供者ＤＢ１３Ａに「＃子育て」が格納されている場合、その「＃子育て」をキーとして検索を行うことにより、「＃子育て」が付された画像が収集される。
【００４５】
また、寄付支援装置１は、寄付提供者ＤＢ１３Ａに格納されている地域を示すタグ情報に基づいて、当該タグ情報が付されている画像をインターネット１００から収集する。画像投稿者装置２によって画像が投稿される場合、投稿された地域を示すタグ情報が当該画像に付される場合がある。寄付支援装置１は、そのようにして画像に付されたタグ情報と寄付提供者ＤＢ１３Ａに格納されている地域を示すタグ情報とが合致する場合、当該画像を取得する。
【００４６】
（３）画像特定処理
上記の画像収集処理によって収集された画像の中から寄付と関連付ける画像が特定される。この特定を行うための画像特定処理について説明する。
図９は、寄付支援装置１及び寄付提供者装置３によって実行される画像特定処理の手順を示すフローチャートである。図９に示すとおり、寄付支援装置１はまず、画像収集処理によって収集された画像の一覧が含まれる閲覧画面情報を寄付提供者装置３に対して送信する（Ｓ３０１）。
【００４７】
なお、寄付提供者によって寄付に係る投稿者属性が設定されている場合、寄付支援装置１は、画像投稿者ＤＢ１３Ｃを参照して当該投稿者属性を有している画像投稿者を特定し、その特定した画像投稿者によって投稿された画像を画像ＤＢ１３Ｅから抽出する。そして、寄付支援装置１は、ステップＳ３０１において、その抽出した画像の一覧が含まれる閲覧画面情報を寄付提供者装置３に対して送信する。
【００４８】
寄付提供者装置３は、寄付支援装置１によって送信された閲覧画面情報を受信した場合（Ｓ４０１）、その閲覧画面情報に基づいて得られる閲覧画面をディスプレイ上に表示する（Ｓ４０２）。図１０は、その閲覧画面の表示例を示す図である。図１０に示すように、閲覧画面２００１には、画像を表示するための表示欄２００２、その画像を選択するためのチェック欄２００３、及びチェック欄へのチェック結果を示す情報を寄付支援装置１に対して送信するための送信ボタン２００４が設けられている。
【００４９】
寄付提供者は、表示欄２００２に表示されている画像を参照し、自らが提供する寄付と関連付けるのに適当と思われる１又は複数の画像を特定する。そして、寄付提供者は、そのようにして特定した画像に対応付けられているチェック欄２００３をクリックすることによって画像の選択を行う。これにより、寄付提供者によって選択された画像を示す選択情報の入力が完了する。
【００５０】
寄付提供者装置３は、上記のようにして行われた選択情報の入力を受け付ける（Ｓ４０３）。その後、寄付提供者によって送信ボタン２００４がクリックされた場合、寄付提供者装置３は入力を受け付けた選択情報を寄付支援装置１に対して送信する（Ｓ４０４）。
【００５１】
寄付支援装置１は、寄付提供者装置３から送信された選択情報を受信した場合（Ｓ３０２）、その選択情報によって示されている画像に基づいて寄付内容を確定する（Ｓ３０３）。この場合、寄付支援装置１は、その画像に関連付けてどの程度の額の寄付を行うのかを確定する。例えば、寄付提供者によって選択された画像が１つである場合、その１つの画像に関連付けて、寄付設定処理によって設定された割当額の全額の寄付を行うことが確定される。また、選択された画像が複数ある場合では、当該割当額をその数で等分した額が寄付額として確定される。ここで、等分するのではなく、当該画像に係る画像投稿者の寄付支援システムに対する貢献度に応じて算出するようにしてもよい。この貢献度は、投稿数の大小、寄付に関連付けられた画像として採用された回数の大小等によって定まる指標である。なお、このように寄付金の額ではなく、寄付される物品が寄付内容とされる場合もある。
【００５２】
このステップＳ３０３において、寄付受領者は特定されてもされなくても構わない。特定される場合は、寄付提供者によって設定された者を寄付受領者として特定したり、寄付支援装置１によって寄付受領者ＤＢ１３Ｂの中から所定のルールに基づいて抽出された者を寄付受領者として特定したりすることが想定される。また、特定されない場合は、画像特定処理の終了後、適宜のタイミングで寄付支援システムの運営者又は寄付提供者等によって寄付受領者が特定される。
【００５３】
次に、寄付支援装置１は、上述したようにして確定した寄付内容を示す寄付確定情報を生成し（Ｓ３０４）、これを寄付確定ＤＢ１４Ｆに登録する（Ｓ３０５）。これにより、画像特定処理が終了する。
【００５４】
（４）寄付公開処理
上記のようにして寄付確定ＤＢ１４Ｆに登録された寄付確定情報に係る寄付は、所定のタイミングで実施される。このようにして実施された寄付の概要は、以下に説明する寄付公開処理によって公開される。
【００５５】
寄付支援装置１は、寄付が実施された後、外部の装置からインターネット１００を介してリクエストを受けた場合に、その寄付の実施日、寄付の受領者・提供者、寄付と関連付けられた画像、その画像を投稿した投稿者、及び、寄付金の額等の寄付内容を示す寄付公開画面を示す寄付公開画面情報を当該外部の装置に対して送信する。この装置は、その寄付公開画面情報に基づいて寄付公開画面をディスプレイ上に表示する。
【００５６】
図１１は、寄付公開画面の一例を示す図である。図１１に示すように、寄付公開画面３００１には、上述した寄付の実施日等の各情報が示されている。これを参照することによって、誰から誰に対していつどのような寄付が行われたのかを知ることができる。また、その寄付には、どのような画像がかかわっているのか、その画像は誰が投稿したものであるのかを知ることもできる。これにより、どのような画像・画像投稿者が寄付に貢献しているのか、どのような画像がどのような寄付提供者によって選ばれているのか等、様々な情報を得ることができる。
【００５７】
以上のとおり、本実施の形態の場合、投稿された画像（コンテンツ）と寄付とを結び付けることにより、コンテンツ制作者と寄付受領者とが一致しない寄付の実施を支援することができる。これにより、多様なニーズに柔軟に対応することが可能になり、寄付の促進を図ることができる。
【００５８】
（その他の実施の形態）
上述した実施の形態では、寄付支援装置１が単一のコンピュータで構成されているが、複数のコンピュータで構成された分散システムにより寄付支援装置１が実現される等、様々な機器構成が想定され得る。
【産業上の利用可能性】
【００５９】
本発明の寄付支援システム及び寄付支援方法はそれぞれ、寄付を必要とする寄付受領者に対して寄付が行われる場合にその寄付の実施を支援する寄付支援システム及び寄付支援方法等として有用である。
【符号の説明】
【００６０】
１    寄付支援装置
１０  ＣＰＵ
１１  ＲＯＭ
１２  ＲＡＭ
１３  ハードディスク
１３Ａ  寄付提供者データベース
１３Ｂ  寄付受領者データベース
１３Ｃ  画像投稿者データベース
１３Ｄ  タグデータベース
１３Ｅ  画像データベース
１３Ｆ  寄付確定データベース
１４  通信インタフェース
１５  ディスプレイ
１６  入力部
１７  バス
２    画像投稿者装置
３    寄付提供者装置
４    寄付受領者装置
１００  インターネット
【図１】
2017215725.tif 000003
【図２】
2017215725.tif 000004
【図３】
2017215725.tif 000005
【図４】
2017215725.tif 000006
【図５】
2017215725.tif 000007
【図６】
2017215725.tif 000008
【図７】
2017215725.tif 000009
【図８】
2017215725.tif 000010
【図９】
2017215725.tif 000011
【図１０】
2017215725.tif 000012
【図１１】
2017215725.tif 000013